(57)【要約】      （修正有）【課題】釣り針収納・投入機自体を片手で簡単に持ち運ぶことができ、かつ、仕掛けをスピーディーに投入でき、更に、移動時には仕掛けをカバン等に安全に、しかも、容易に出し入れできる釣り針収納・投入機を提供する。【解決手段】釣り針収納・投入機１１は、隙間を隔て平行に配置する並列二重構造の基体１３を具備する釣り針収納・投入機本体１２と、各基体を一体的に支持するグリップ部１４と、各基体の対向する側面に対して、各々釣り針装着領域１５ａを外方に突出させる状態で添着するとともに、任意数の釣り針を滑動し得るように装着可能とした二枚の釣り針保持板１５と、釣り針収納・投入機本体の下側位置に臨むようにグリップ部に対して配置した切れ込みが入ったスポンジ１７とを有して構成した。【選択図】図３
0003225212.tif 000002
【実用新案登録請求の範囲】
【請求項１】
単一の釣り針投入機本体と、
前記釣り針投入機本体を支持するグリップ部と、
前記釣り針投入機本体の側面に対して、釣り針装着領域を外方に突出させる状態で添着するとともに、任意数の釣り針を滑動し得るように装着可能とした釣り針保持板と、
前記釣り針投入機本体の下側位置に臨むように前記グリップ部に対して、仕掛けに関する糸を挟み込可能にしたスポンジを配置して構成し、
前記スポンジの切れ込みに仕掛けに関する糸を挟み込可能に構成して仕掛けの収納具としたことを特徴とするとともに、仕掛けの収納具と投入機とを一体型に構成したことを特徴とする釣り針収納・投入機。
【請求項２】
隙間を隔て平行に配置する並列二重構造の基体を具備する釣り針投入機本体と、
前記釣り針投入機本体の各基体を一体的に支持するグリップ部と、
前記釣り針投入機本体の各基体の対向する側面に対して、各々釣り針装着領域を外方に突出させる状態で添着するとともに、任意数の釣り針を滑動し得るように装着可能とした二枚の釣り針保持板と、
イカ角の取り込み時にイカ角をスムーズにガイドしてイカ角を任意の位置まで移動させられるように、前記二枚の釣り針保持板における奥側の釣り針保持板の突出長を、手前側の釣り針保持板の突出長より大とする構造にし、
前記釣り針投入機本体の下側位置に臨むように前記グリップ部に対して、仕掛けに関する糸を挟み込むために配置した切れ込みを入れたスポンジと、
を有する構成とし、
前記投入機部分に仕掛けの針をかけた状態で、仕掛けの幹糸やハリス部分を釣り針投入機本体の下部に配置したスポンジに挟み込むことで生じる摩擦抵抗力をもって、釣り針投入機を逆さまにしても、釣り針収納・投入機から手を放しても、更に釣り針収納・投入機を落下させても、保持した仕掛けが絡まるような事態を解消し、また、仕掛けの投入時に幹糸やハリス部分が風でなびいて絡むような事態を防止できるようにしたことを特徴とする釣り針収納・投入機。
【請求項３】
隙間を隔て平行に配置する並列二重構造の基体を具備する釣り針投入機本体と、
前記釣り針投入機本体の各基体を一体的に支持するグリップ部と、
前記釣り針投入機本体の各基体の対向する側面に対して、各々釣り針装着領域を外方に突出させる状態で添着するとともに、任意数の釣り針を滑動し得るように装着可能とした二枚の釣り針保持板と、
前記釣り針収納・投入機本体の下側位置に臨むように前記グリップ部に対して、仕掛けに関する糸を挟み込可能に構成した切れ込みが入ったスポンジを配置と、
を有する構成とし、
前記二枚の釣り針保持板の内のいずれか一方の側の釣り針保持板の突出長、及び当該一方の側の釣り針保持板の基体の長さを、他方の側の釣り針保持板の突出長、及び当該他方の側の釣り針保持板の基体の長さよりも大とするように構成したことを特徴とする釣り針収納・投入機。
【請求項４】
前記スポンジを前記グリップ部に対して調整可能な可動式としたことを特徴とする請求項１乃至３のいずれか１項に記載の釣り針収納・投入機。
【請求項５】
前記釣り針収納・投入機本体、及び前記釣り針保持板の外周を覆うカバーを更に備えることを特徴とする請求項１乃至４のいずれか１項に記載の釣り針収納・投入機。
【請求項６】
前記グリップ部に磁石を取り付けたことを特徴とする請求項１乃至５のいずれか１項に記載の釣り針収納・投入機。
【請求項７】
前記釣り針収納・投入機本体の全体サイズを手のひらサイズとしたことを特徴とする請求項１乃至６のいずれか１項に記載の釣り針収納・投入機。
【請求項８】
前記釣り針収納・投入機本体の一部に更に仕掛けの糸を巻回可能なリング部材を取り付けたこと特徴とする請求項１乃至７のいずれか１項に記載の釣り針収納・投入機。
【請求項９】
前記釣り針収納・投入機本体の一部にハンガーフックを取り付けたこと特徴とする請求項１乃至８のいずれか１項に記載の釣り針収納・投入機。
【考案の詳細な説明】
【技術分野】
【０００１】
本考案は、釣り針収納・投入機に関し、詳しくは、釣り針収納具と投入機を一体型に構成し、本体を片手で持ち運べるほど小さく構成した釣り針収納・投入機を実現したことにより、釣り針収納・投入機にイカ針仕掛け（その他サビキ仕掛け）（以下「仕掛け」と記載）をセットしたまま保護カバーを装着し、カバン等に安全に収納でき、しかも、容易に出し入れでき、かつ、仕掛けをスピーディーに投入できるようにした釣り針収納・投入機に関するものである。
【背景技術】
【０００２】
従来からイカ釣り等（サビキ仕掛けを使用した釣り行を含む）の釣り行において、仕掛けの収納具と、仕掛けの投入機が別物で、釣り座の設置や片付けに多少時間がかかるという問題があった。
【０００３】
収納具に関しては従来から（掛け枠や仕掛け巻き）という物も使用していたが巻き取りに時間が掛かったり、掛け枠においては本体が長めなのでバック等への収納では入れ物を選ぶという問題もあった。さらに仕掛けの収納具として発泡スチロール等が多く代用されており、今日のプラごみ問題に関りが深く環境への問題も懸念されている。また、カバン等の中で針先が突出してしまい、仕掛けが絡まり、出し入れがし難いという問題もあった。
【０００４】
投入機に関しては、従来は収納具と投入機が別物であることから、収納具から投入機に仕掛けを移す際に仕掛けが絡んでしまうことが多少の問題点としてあった。
【０００５】
更に、従来、幹糸やハリスを固定できるものが定まっておらず、風向き次第では仕掛けを投入する時に仕掛けが絡んでしまうトラブルが生じるという問題もあった。
【０００６】
一般的にいわゆる手返しの良さを重視した見方で説明すると、イカ釣り仕掛けにおいては、複数のイカ角を手に持っている時に、何らかの不注意で手指に針を刺すために生じる刺創等により、釣りに集中できないという事も多少なりともあるのが実情で現況である。
【０００７】
特許文献１には、取付け用基端部から先端側へ向けて、板状主要部が設けられた主部材と、該主部材の先端縁から該主要部に入り込んで切欠形成されるスリットと、該スリットが形成された前記主要部の両スリット縁沿いに、該主要部に対しその板幅方向が起立するようにして設けられる一対の帯板部と、を具備し、イカ角の軸部を両帯板部間及び前記スリットに遊挿し、かつ、一対の該帯板部の両上縁部分が、該軸部の先端部から外方に向け軸部基端側へ下降傾斜する針部の針長手方向でその中間部位に当接して該イカ角を受け支えるよう、両帯板部が配設される構成のイカ角投入機が開示されている。
【０００８】
しかし、特許文献１のイカ角投入機の場合、板状主要部を設けた主部材に対しスリットを設け、板状主要部に対しその板幅方向が起立するようにして一対の帯板部を設け、この一対の帯板部によりイカ角を受け支えるように構成した複雑構成からなるものであり、仕掛けを収納している収納カバン等に対する出し入れも容易ではないこと等の問題を包含している。
【０００９】
特許文献２には、等辺山形鋼を本体の間を空間を設けその先端からイカ針が挿入できるようにし、前記本体に柄の先端を楔形に構成して固定し、それに握りやすいように滑り止めグリップを設け、また、柱形伸縮管の先端を楔形回転防止として前記柄に挿入し、柱形伸縮管は舟べりに取り付けもでき、また、竿掛けにも取り付けもできるように形成した釣り用把手形投入器が開示されている。
【００１０】
しかし、特許文献２の釣り用把手形投入器の場合には、本体に滑り止めグリップを配置し、柄に柱形伸縮管の先端を回転防止用として挿入し,この柱形伸縮管を舟べりや竿掛け等に取り付け可能に形成したものであり、船等の対象物に固定させるのも船の形状も違うため容易ではないこと、また、構成要素が多く仕掛けを収納しているカバン等に対する出し入れも容易ではないこと等の問題を包含している。
【先行技術文献】
【特許文献】
【００１１】
【特許文献１】特開２０１３−８２号公報
【特許文献２】登録実用新案第３１０８７９３号公報
【考案の概要】
【考案が解決しようとする課題】
【００１２】
上述したように、従来における釣り針保持具においては、収納具と投入機が別物構成であること、仕掛けを整理するカバン等に対する出し入れが容易ではなかったこと、カバンの中で仕掛けが絡まってしまうこと、収納具として発泡スチロール等が代用品として多用されていること、投入機を船等の対象物に固定させるのも船の形状も違うため容易ではなかったこと、船で場所を移動する際風で仕掛けの幹糸がなびいて仕掛けが絡まることがあること、イカ仕掛けを取扱い中に不注意で手指に針を刺し刺創などの怪我が発生していたこと、投入機においてはほぼイカ釣り専用であったこと等の種々の不都合や問題に鑑みて、本考案は、従来におけるこれらの不都合や問題を解決し、安全、かつ、容易に、そして、スピーディーに釣り行を実施し得る釣り針収納・投入機を提供するものである。
【課題を解決するための手段】
【００１３】
本考案に係る釣り針収納・投入機は、単一の釣り針収納・投入機本体と、前記釣り針収納・投入機本体を支持するグリップ部と、前記釣り針収納・投入機本体の側面に対して、釣り針装着領域を外方に突出させる状態で添着するとともに、任意数の釣り針を滑動し得るように装着可能とした釣り針保持板と、前記釣り針収納・投入機本体の下側位置に臨むように前記グリップ部に対して配置した切り込みが入ったスポンジと、を有することを最も主要な特徴とする。
【考案の効果】
【００１４】
請求項１記載の考案によれば、釣り針保持板を備えることで、釣り針の滑動が良好となって仕掛けの投入がスムーズになり、かつ、使用時や収納時に針先がどこにも引っかからないので、従来の保持具の場合と異なり、針先の鋭さが損なわれることもなく、コンパクトな設計にしたことで、片手で簡単に扱いやすくなり、仕掛けに関する糸を挟み込可能にしたスポンジを設置し糸を係止したことで収納具としても活用できるため、収納具と投入機が一体型になったことで持ち運びが容易になり、取扱い時における操作性が良好でスムーズな釣り行の実現を提供することができる。
【００１５】
更に、請求項１記載の考案によれば、上記スポンジを配置した構成としているので、スポンジと糸との間に生じる摩擦抵抗力が仕掛けの保持力を最大に高めて、釣り針収納・投入機を逆さまにしても、釣り針収納・投入機から手を放しても、釣り針収納・投入機を落下させても、保持した仕掛けが絡まることが殆んど無いため、釣り針収納・投入機に仕掛けをセットしたまま安全カバーを装着した状態で、収納具として活用でき、また、仕掛けの投入時においては幹糸やハリスが風でなびいて仕掛けが絡むことをスポンジが防止してくれるため、片手で扱いやすい釣り針収納・投入機を実現し提供することができる。
【００１６】
請求項２記載の考案によれば、請求項１記載の効果に加えて、隙間を隔て対向する二枚の釣り針保持板を備えることから、釣り針保持板が一枚構成では釣り針が外れる虞があるという不安を解消して、釣り針の保持安定性が良好になり、釣り針が脱落し難くなりその収納及び投入も容易になり、更に、隙間が形成する空間内に所望数の釣り針をスムーズに収納することもできる釣り針収納・投入機を実現し提供することができる。
【００１７】
請求項３記載の考案によれば、請求項２記載の効果に加えて、請求項２記載の考案と同様な構成であり、かつ、前記二枚の釣り針保持板における奥側の釣り針保持板の突出長を手前側の釣り針保持板の突出長より大とするとともに、前記各基体及び二枚の釣り針保持板における手前側の基体及び釣り針保持板の長さを、奥側の基体及び釣り針保持板の長さより小さくしているので、前記二枚の釣り針保持板の高さの違いと、手前側の基体及び釣り針保持板と、奥側の基体及び釣り針保持板の長さの違いとにより、釣り針を滑らせつつ、かつ、ガイド機能を発揮させつつスムーズに収納できる釣り針収納・投入機を実現し提供することができる。
【００１８】
請求項４記載の考案によれば、請求項１乃至３のいずれかに記載の考案において、前記スポンジを前記グリップ部に対して調整可能な可動式としているので、請求項１乃至３のいずれかに記載の考案の効果を奏するとともに、長いハリス、短いハリス等の様々な長さの仕掛けに対応できる釣り針収納・投入機を実現し提供することができる。
【００１９】
請求項５記載の考案によれば、請求項１乃至４のいずれかに記載の考案において、前記釣り針収納・投入機本体、及び、前記釣り針保持板の外周を覆うカバーを更に備える構成としているので、請求項１乃至４のいずれかに記載の考案の効果を奏するとともに、カバーを装着することで仕掛けが外部と隔離された状態でカバン等に容易に収納できるため、安全で、かつ、仕掛けの持ち運びが容易であり、使用時には事前の準備をすることなくカバン等からサッと取り出し、カバーを外して、錘を付け瞬時に仕掛けを投入できる釣り針収納・投入機を実現し提供することができる。
【００２０】
請求項６記載の考案によれば、請求項１乃至５のいずれかに記載の考案において、前記グリップ部に更に磁石を取り付けた構成としているので、請求項１乃至５のいずれかに記載の考案の効果を奏するとともに、前記磁石を利用して専用のホルダー等に固定できるため釣り針に両手でエサを取り付ける等の作業が容易になる釣り針収納・投入機を実現し提供することができる。
【００２１】
請求項７記載の考案によれば、請求項１乃至６のいずれかに記載の考案において、全体サイズを手のひらサイズとした構成としているので、請求項１乃至６のいずれかに記載の考案の場合と同様な効果を発揮させることができ、かつ、縮小サイズによりチカ釣りのサビキ仕掛け等にも対応できる釣り針収納・投入機を実現し提供することができる。
【００２２】
請求項８記載の考案によれば、請求項１乃至７のいずれかに記載の考案において、前記釣り針収納・投入機本体の一部に更に仕掛けの糸を巻回可能なリング部材を取り付けた構成としているので、請求項１乃至７のいずれかに記載の考案の効果を奏するとともに、仕掛けの糸をリング部材に巻き付けそのまま保持することができ、仕掛けを取り込んでいる最中等において仕掛けの残りや錘が水中に入っている状態でも両手を使うことができる釣り針収納・投入機を実現し提供することができる。
【００２３】
請求項９記載の考案によれば、請求項１乃至８のいずれかに記載の考案において、前記釣り針収納・投入機本体の一部に更にハンガーフックを取り付けた構成としているので、請求項１乃至８のいずれかに記載の考案の効果を奏するとともに、ハンガーフックを利用して釣り針収納・投入機本体自体を腰ベルト等に掛け取り付けることができるため、仕掛けを投入後に腰ベルト等に掛けておき、仕掛けを取り込むときにサッと釣り針収納・投入機を手に持つことができ、また、様々なフィッシングスタイルにも対応できる釣り針収納・投入機を実現し提供することができる。
【図面の簡単な説明】
【００２４】
【図１】図１は本考案の実施例１に係る釣り針収納・投入機の全体構成を示す概略斜視図である。
【図２】図２は本実施例１に係る釣り針収納・投入機における釣り針保持板に対する複数の釣り針の装着状態を示す部分概略斜視図である。
【図３】図３は本考案の実施例２に係る釣り針収納・投入機の全体構成、及び、寸法関係の一部を示す概略斜視図である。
【図４】図４は本実施例２に係る釣り針収納・投入機における各基体、各釣り針保持板の寸法関係を示す部分概略斜視図である。
【図５】図５は本実施例２に係る釣り針収納・投入機における各釣り針保持板間への釣り針の装着状態を示す部分概略斜視図である。
【図６】図６は本実施例２の変形例１に係る釣り針収納・投入機の概略正面図である。
【図７】図７は本実施例２の変形例１に係る釣り針収納・投入機におけるスポンジの概略斜視図である。
【図８】図８は本実施例２の変形例１に係る釣り針収納・投入機におけるスポンジ、グリップ部の分解概略斜視図である。
【図９】図９は本実施例２の変形例２に係る釣り針収納・投入機の概略斜視図である。
【図１０】図１０は本実施例２の変形例３に係る釣り針収納・投入機の概略斜視図である。
【図１１】図１１は本実施例２の変形例４に係る釣り針収納・投入機の概略斜視図である。
【図１２】図１２は本実施例２の変形例５に係る釣り針収納・投入機の概略正面図である。
【図１３】図１３は本実施例２の変形例６に係る釣り針収納・投入機の概略正面図である。
【考案を実施するための形態】
【００２５】
本考案は、前述した種々の問題を解決し得る釣り針収納・投入機を実現し提供するという目的を、隙間を隔て平行に配置する並列二重構造の基体を具備する釣り針収納・投入機本体と、前記釣り針収納・投入機本体の各基体を一体的に支持するグリップ部と、前記釣り針収納・投入機本体の各基体の対向する側面に対して、各々釣り針装着領域を外方に突出させる状態で添着するとともに、任意数の釣り針を滑動し得るように装着可能とした二枚の釣り針保持板と、前記釣り針収納・投入機本体の下側位置に臨むように前記グリップ部に対して配置した切れ込みが入ったスポンジと、を有し、前記二枚の釣り針保持板における奥側の釣り針保持板の突出長を手前側の釣り針保持板の突出長より大とするとともに、前記各基体及び二枚の釣り針保持板における手前側の基体及び釣り針保持板の長さを、奥側の基体及び釣り針保持板の長さより小とするとともに、前記スポンジの切れ込みにより仕掛けに関する糸を挟み込可能とした構成により実現した。
【実施例】
【００２６】
以下、本考案の実施例に係る釣り針収納・投入機について、各図面を参照して詳細に説明する。
【００２７】
（実施例１）
まず、本実施例１に係る釣り針収納・投入機１について、図１、図２を参照して説明する。
【００２８】
本実施例１に係る釣り針収納・投入機１は、単一の例えば直方体状の基体３を具備する釣り針収納・投入機本体２と、前記釣り針収納・投入機本体２の基体３の一端側を垂直配置又は傾斜配置で支持する帯板状のグリップ部４と、前記釣り針収納・投入機本体２の基体３の側面に対して、釣り針装着領域５ａを外方に突出させる状態で添着するとともに、任意数の釣り針（イカ針仕掛け）Ｓを釣り針装着領域５ａの端縁に掛けて滑動し得るように装着可能とした例えばステンレス板からなる釣り針保持板５と、を有し、全体形状をピストル形に模し、かつ、片手持ち可能な形態に構成している。
【００２９】
前記釣り針保持板５は、図示するように、前記釣り針収納・投入機本体２の基体３の先端方向の下方に約５度の傾斜を形成して基体３に設けている。
【００３０】
その理由は、釣り針（イカ針仕掛け）Ｓを投入する際の手首にかかる負担を軽減し、更に、仕掛けの投入時間も短縮されてスピーディーに仕掛けを投入することができ、手返しが良くなりその分釣果にも差が出ることからである。
【００３１】
また、前記釣り針保持板５は、曲げ角度を９０度に形成して基体３に設けている。
【００３２】
その理由は、釣り針保持板５の曲げ角度を９０度にすることにより、釣り針保持板５に横からかかる力、負担に抵抗することができ、釣り針保持板５に対して、取扱い中に考えられる多少の物理的な衝撃や劣化などにより、釣り針保持板５が波状に曲がることを防ぐことができ、耐久性を増進させることができるからである。
【００３３】
更に、このような理由から、釣り針保持板５の耐久性が増すことで、経済的にも、廃棄ゴミ問題に関する環境的にも良い結果となり、また、釣り針保持板５として一層薄いステンレス板を採用でき、釣り針収納・投入機本体２を一層軽量化でき、軽くて取扱いが楽な釣り針収納・投入機本体２を実現できる。
【００３４】
この釣り針収納・投入機１によれば、釣り針保持板５をステンレス板とすることで、釣り針Ｓの滑動が良好となり仕掛けの投入がスムーズになり、かつ、使用時や収納時に針先がどこにも引っかからないので、従来の保持具の場合と異なり、針先の鋭さが損なわれるということがないという効果を奏する。
【００３５】
また、釣り針収納・投入機１の全体形状をピストルに模した形状とし、片手持ち可能な形態にすることで、片手で簡単に持ちやすく、コンパクト収納が可能であり、取扱い時における操作性が良好となる。
【００３６】
更に、本実施例１の釣り針収納・投入機１は、前記釣り針収納・投入機本体２の下側位置に臨むように前記グリップ部４に対して切れ込み１６が入ったスポンジ１７を配置し、このスポンジ１７の切れ込み１６により釣り針Ｓの糸（幹糸やハリス等）Ｓａを挟み込んで保持可能としている。
【００３７】
本実施例１の釣り針収納・投入機１によれば、スポンジ１７の切れ込み１６の領域に釣り針Ｓの糸Ｓａを挟み込んで保持可能とした構成により、スポンジ１７と糸Ｓａとの間に生じる摩擦抵抗力が仕掛け（釣り針Ｓ及び糸Ｓａ）の保持力を最大に高めて、例えば、釣り針収納・投入機１を逆さまにしても、釣り針収納・投入機１から手を放しても、更には、釣り針収納・投入機を落下させても、保持した仕掛けが絡まることが殆んど無くなるか（又はそのような事態が解消され）、また、仕掛けの投入時において幹糸やハリス等の糸Ｓａが風でなびいて絡むことを防止できる効果を奏する。
【００３８】
（実施例２）
次に、本実施例２に係る釣り針収納・投入機１１について、図３、図４、図５を参照して説明する。
【００３９】
本実施例２に係る釣り針収納・投入機１１は、隙間α１を隔て平行に配置する並列二重構造の基体１３、１３を具備する釣り針収納・投入機本体１２と、前記釣り針収納・投入機本体１２の各基体１３、１３の一端を傾斜配置で一体的に支持するグリップ部１４と、前記釣り針収納・投入機本体１２の各基体１３、１３の対向する側面に対して、各々釣り針装着領域１５ａ、１５ａを隙間α２を隔てて外方に突出させる状態で添着するとともに、任意数の釣り針（イカ針仕掛け）Ｓを滑動し得るように装着可能としたステンレス板からなる二枚の釣り針保持板１５、１５と、を有し、前記二枚の釣り針保持板１５、１５における図３、図４のいずれか一方（例えば図中の奥側）の釣り針保持板１５の突出長ｔ１を図３、図４における他方（図中の手前）の側の釣り針保持板１５の突出長ｔ２より大（ｔ１＞ｔ２）とした構成としたものである。
【００４０】
この釣り針収納・投入機１１によれば、隙間α２を隔て対向するステンレス板からなる二枚の釣り針保持板１５、１５を備えることから、釣り針保持板１５が一枚構成では釣り針Ｓが外れる虞があるという不安を解消して釣り針Ｓの保持安定性が良好になり、更に、前記突出長ｔ１、ｔ２の関係を（ｔ１＞ｔ２）としているのは、（ｔ１＝ｔ２）ならば錘を含めた仕掛け（イカ角）のステンレス板にかかる摩擦力がｔ１とｔ２に分散されることになる。文章的には力が分散されると滑りが良くなりそうに聞こえるが、実際は力が分散されるよりも、この場合ｔ１一方に力が集中する方が投入時において一定の力加減で対応できるため、（ｔ１＞ｔ２）という構造にしている。しかし、ｔ２が存在しない構造だと、万が一投入時等において、仕掛け（イカ角）がｔ１から脱落してしまった場合ｔ２があることで、ｔ２部分で脱落したイカ角を受け止めてくれるため仕掛けが絡んだり、針が手指に刺さるなどのトラブルを防げ、安全に考慮した構造であり、各々の相乗効果があり仕掛けの収納具を兼ねた、投入機としても使えるという効果を奏する。
【００４１】
また、前記釣り針収納・投入機１１は、前記各基体１３、１３及び二枚の釣り針保持板１５、１５における手前側の基体１３及び釣り針保持板１５の長さＬ２を、奥側の基体１３及び釣り針保持板１５の長さＬ１より小（Ｌ２＜Ｌ１）としている。
【００４２】
このような構成によれば、図５に示すように、前記釣り針収納・投入機１１における隙間α１及びα２が形成する空間内に所望数の釣り針Ｓをスムーズに収納できるという効果を奏する。
【００４３】
（実施例２：変形例１）
次に、実施例２の変形例１に係る釣り針収納・投入機１１Ａについて、図６乃至図８を参照して説明する。
【００４４】
この変形例１の釣り針収納・投入機１１Ａにおいて、既述した実施例２の釣り針収納・投入機１１の場合と同一の要素には同一の符号を付して示す。
【００４５】
変形例１の釣り針収納・投入機１１Ａは、前記釣り針収納・投入機本体１２の下側位置に臨むように前記グリップ部１４に対して図７にも示すように切れ込み１６が入ったスポンジ１７を取り付け位置を変更可能に配置し、このスポンジ１７の切れ込み１６により釣り針Ｓの糸Ｓａを挟み込んで保持可能としたことが特徴である。
【００４６】
これにより、前記スポンジ１７は、前記グリップ部１４又は釣り針収納・投入機本体１２に対して調整可能な可動式に構成している。
【００４７】
すなわち、例えば、図８に示すように、前記スポンジ１７の一面に面ファスナ１８（クロス斜線を付して示す）を取り付け、また、グリップ部１４の一面にある程度長尺の面ファスナ１９（クロス斜線を付して示す）を取り付けて、前記スポンジ１７のグリップ部１４に対する取り付け位置を変更可能としたものであり、更には図示しないが前記スポンジ１７を取り付けるグリップ部１４を伸縮可能としてスポンジ１７の前記釣り針収納・投入機本体１２に対する間隔を変更可能とした構成とすることもできる。
【００４８】
変形例１の釣り針収納・投入機１１Ａによれば、実施例１の釣り針収納・投入機１、実施例２に係る釣り針収納・投入機１１と同様な効果を発揮するとともに、スポンジ１７を、前記グリップ部１４又は釣り針収納・投入機本体１２に対して調整可能な可動式に構成しているので、この構成により長いハリス、短いハリス等のような様々な長さの仕掛けに対応可能となる効果も奏する。
【００４９】
なお、図７及び図８のスポンジ１７は、面ファスナ１８をスポンジ１７側面に取り付けるものであるが、当該スポンジの一部を例えば前記グリップ１４が嵌合できるように切欠部（又は溝部）を設けその切欠部分に面ファスナ１８を取り付けることも可能である。
【００５０】
（実施例２：変形例２）
次に、実施例２の変形例２に係る釣り針収納・投入機１１Ｂについて、図９を参照して説明する。
【００５１】
この変形例２の釣り針収納・投入機１１Ｂにおいて、既述した変形例１の釣り針収納・投入機１１Ａの場合と同一の要素には同一の符号を付して示す。
【００５２】
変形例２の釣り針収納・投入機１１Ｂは、既述した変形例１の釣り針収納・投入機１１Ａの構成に加えて、更に、前記釣り針収納・投入機本体１２、及び、前記釣り針保持板１５、１５の外周を覆う透明な専用のカバー２１（二点鎖線で示す）を着脱可能に備えることが特徴である。
【００５３】
この変形例２の釣り針収納・投入機１１Ｂによれば、前記変形例１に係る釣り針収納・投入機１１Ａと同様な効果を発揮するとともに、前記透明な専用のカバー２１を着脱可能に備えることから、このカバー２１により釣り針Ｓが外部と隔離された状態でカバン等に容易に収納できるため、安全で、かつ、仕掛けの持ち運びが容易であり、使用時には事前の準備をすることなくカバン等からサッと取り出し、カバー２１を外して、錘を付けて、瞬時に仕掛けを投入できるという効果を奏する。
【００５４】
（実施例２：変形例３）
次に、実施例２の変形例３に係る釣り針収納・投入機１１Ｃについて、図１０を参照して説明する。
【００５５】
この変形例３の釣り針収納・投入機１１Ｃにおいて、既述した変形例１の釣り針収納・投入機１１Ａの場合と同一の要素には同一の符号を付して示す。
【００５６】
変形例３の釣り針収納・投入機１１Ｃは、既述した変形例１の釣り針収納・投入機１１Ａの構成に加えて、前記グリップ部１４及び、奥側の基体１３の側面に更に磁石（例えば強力なネオジウムマグネット）２２を取り付けたことが特徴である。
【００５７】
この変形例３の釣り針収納・投入機１１Ｃによれば、前記磁石２２の磁力を利用して釣り針収納・投入機１１Ｃ自体を例えば船体の鉄部分や専用のホルダー等に磁着できるため、釣り針Ｓに両手でエサ付け作業等が簡略化できるという効果を奏する。
【００５８】
（実施例２：変形例４）
次に、実施例２の変形例４に係る釣り針収納・投入機１１Ｄについて、図１１を参照して説明する。
【００５９】
この変形例４の釣り針収納・投入機１１Ｄにおいて、既述した変形例１の釣り針収納・投入機１１Ａの場合と同一の要素には同一の符号を付して示す。
【００６０】
変形例４の釣り針収納・投入機１１Ｄは、既述した変形例１の釣り針収納・投入機１１Ａの場合と同様な構成であるが、全体サイズを手のひらサイズとしたことが特徴である。
【００６１】
変形例４の釣り針収納・投入機１１Ｄによれば、変形例１の釣り針収納・投入機１１Ａの機能はそのままで縮小サイズとしたものであるから、チカ釣りのサビキ仕掛け等にも利用できるという効果を奏する。
【００６２】
また、従来の円い仕掛け巻は巻き取る時や再び使用する時に仕掛けを出す時の時間が掛かり過ぎるという問題があったが、変形例４の釣り針収納・投入機１１Ｄによれば、このような問題を解消することができる。
【００６３】
（実施例２：変形例５）
次に、実施例２の変形例５に係る釣り針収納・投入機１１Ｅについて、図１２を参照して説明する。
【００６４】
この変形例５の釣り針収納・投入機１１Ｅにおいて、既述した変形例１の釣り針収納・投入機１１Ａの場合と同一の要素には同一の符号を付して示す。
【００６５】
変形例５の釣り針収納・投入機１１Ｅは、既述した変形例１の釣り針収納・投入機１１Ａの場合と同様な構成であるが、前記釣り針収納・投入機本体１２の一部（例えば一方の基体１３の外面の一部）に、更に仕掛けの糸Ｓａを巻回可能な例えばゴム製のリング部材２３を取り付けたことが特徴である。
【００６６】
この変形例５の釣り針収納・投入機１１Ｅによれば、変形例１の釣り針収納・投入機１１Ａの場合と同様な効果を奏するとともに、前記リング部材２３に対して仕掛けの糸Ｓａを巻きつけると、糸の仮止めができるので手軽に両手を使うことが可能になる。
【００６７】
（実施例２：変形例６）
次に、実施例２の変形例６に係る釣り針収納・投入機１１Ｆについて、図１３を参照して説明する。
【００６８】
この変形例６の釣り針収納・投入機１１Ｆにおいて、既述した変形例５の釣り針収納・投入機１１Ｅの場合と同一の要素には同一の符号を付して示す。
【００６９】
変形例６の釣り針収納・投入機１１Ｆは、既述した変形例５の釣り針収納・投入機１１Ｅの場合と同様な構成であるが、前記釣り針収納・投入機本体１２の一部（例えば一方の基体１３の外面の一部）に、更にハンガーフック２４を取り付けたことが特徴である。
【００７０】
この変形例６の釣り針収納・投入機１１Ｆによれば、変形例５の釣り針収納・投入機１１Ｅの場合と同様な効果を奏するとともに、前記ハンガーフック２４を利用して釣り針収納・投入機１１Ｆ自体を利用者の腰ベルト等に掛け止めることができるため、仕掛けを投入後に腰ベルト等に掛け止めておき、仕掛けを取り込むときにサッと釣り針収納・投入機１１Ｆを手に持つことができるという効果を奏する。
【００７１】
また、前記ハンガーフック２４は、プラスネジ等で釣り針収納・投入機本体１２の一部に対して着脱可能な構成とすることができ、利用者が任意で取り付けをできるため、様々なフィッシングスタイルに対応することが可能になるという利点も奏する。
【００７２】
本実施例１、２の釣り針収納・投入機１、釣り針収納・投入機１１乃至１１Ｆにおいては、前記釣り針保持板５、１５として、上述した場合の他、プラスチック板等の材料を用いることもできる。
【００７３】
なお、実施例２の変形例１乃至６の構成は、既述した実施例１の釣り針収納・投入機１に関しても各々適用可能である。
【００７４】
次に、本実施例１、２の釣り針収納・投入機１、釣り針収納・投入機１１乃至１１Ｆに関して一部重複部分もあるが更に総括的に説明する。
【００７５】
本実施例１、２における前記釣り針収納・投入機１、１１乃至１１Ｆは極めてコンパクトに設計することにより、手荷物が少なくなると考えられるため、自動車、電車等の公共交通機関での移動時、及び船舶等への乗船、下船時の行動が容易になると考えられる。
【００７６】
本実施例１、２の釣り針収納・投入機１、１１乃至１１Ｆにおいては、イカ針仕掛け（その他サビキ仕掛け）（以下「仕掛け」と記載）の収納具と投入機が一体型になっていることが利点であり、更には、片手で持ち取扱いが容易であり、カバー２１を付ける事で安全性があり、コンパクト設計なのでこのままカバン等に入れ収納及び持ち運びが容易になることが最大の利点である。
【００７７】
図３等に示すように、二枚の釣り針保持板１５、１５を高さ違いにすることで、釣り針Ｓの脱落を完全に防止できるため、安全、かつ、仕掛けがひっかかったりすることを防ぐ構成としている。
【００７８】
また、図６に示すように、切り込み１６を設けたスポンジ１７を配置しスポンジ１７により糸Ｓａを挟む構成とすることにより、スポンジ１７と糸Ｓａとの間に摩擦抵抗力が生じ、仕掛けの自重により釣り針収納・投入機１１等から仕掛けが脱落する可能性が極めて少なくなり、更に、風で仕掛けの糸Ｓａがなびくのを防止できる。
【００７９】
スポンジ１７の大きさについては、仕掛けを保持するための糸Ｓａにかかる摩擦抵抗力が適正な値を保持できる大きさにし、大小両極端にならない程度の大きさとする。
【００８０】
図９に示すように、カバー（透明）２１を取り付けることにより釣り針Ｓが外界と隔離されるため、衣服や手指に刺さることが無く、この状態のまま容易にカバン等に出し入れができる。
【００８１】
更には、カバー２１を透明にすることで、どんな仕掛けがセットされているか、または釣り針Ｓの状態はどうか等が一目でわかる利点があり、カバンに入れて整理整頓できるため、持ち運びが容易になることで手荷物が少なくなると考えられるため、自動車、電車等の公共交通機関での移動時等において人目を気にすることが軽減されると考えられる。
【００８２】
前記カバー２１の着脱の有無によらず、仕掛けを装着したまま、水で丸洗いができるため、常に清潔を保てるほか、釣り針Ｓや釣り針収納・投入機の塩害腐食による劣化が手軽に軽減できる利点がある。
【００８３】
図１１に示すように、全体の大きさを手のひらサイズほどまで縮小製作することで、チカ釣りサビキ仕掛けを収納し、持ち運びができる。
【００８４】
取扱いについては、釣り針収納・投入機１、１１等の釣り針保持板５、１５に、仕掛けの竿側の（錘側ではない）釣り針Ｓから順番に一本ずつ取り込んでいく。この時、一本目の釣り針Ｓを釣り針保持板５、１５に掛けた際一本目の釣り針Ｓに対する幹糸及びハリスをまとめてスポンジ１７の１６部分に挟み込む。この作業を仕掛けの釣り針２本目から最終の釣り針Ｓまで順番に取り込む。この状態が基本となる（基本１）。
【００８５】
上記基本１の状態から、釣り針収納・投入機１、１１等の右側面を自分に向けた状態とし、左側が竿側で右側のラストの釣り針が錘側になるようにする（仕掛けの使い方及び取扱いに付いては常識の範疇とし省略する）。仕掛けの右側に錘を取り付けて、左手で釣り針収納・投入機１、１１を持ち、手首の角度を調節しながら錘の重さで仕掛けを投入する。
【００８６】
仕掛けの投入時において、釣り針保持板５、１５と釣り針Ｓとの間に摩擦抵抗力が生じるので手首の加減次第では仕掛けを投入し難いことがある。
【００８７】
また、使用者の体制や船の環境、及び、波の状況によっては、釣り針収納・投入機１、１１等の取扱いに多少の不便が生じることがある。
【００８８】
上述した基本１の状態に加えて、図１０に示すように、カバー２１を装着すると、バッグやカバン等に容易に出し入れができる。すなわち、釣り針Ｓが手指等に刺さることが無くなる他、カバンの中で仕掛け同士が絡まることを防止できる。
【００８９】
図９に示す状態のままカバンに収納し整理整頓できるため、釣り場に到着した後、瞬時にカバンから仕掛けを選ぶことができ、カバンからサッと取り出し、竿にセットし錘を付けて、カバー２１を取り外し、速やかに仕掛けを投入することができる。
【００９０】
イカや魚が掛かって仕掛けを引き上げた時に、順次引き上げた釣り針Ｓに掛かったイカや魚を取り外し、図２等に示すように釣り針収納・投入機１、１１等の釣り針保持板５、１５に釣り針Ｓを係止する。
【００９１】
また、釣り針Ｓから魚を外し難い状況では、仕掛けの糸Ｓａを釣り針収納・投入機１、１１本体の専用の巻回部分に巻きつけた状態にすると、釣り針収納・投入機１、１１本体から両手を離せるので、釣り針収納・投入機１、１１本体を床に置いたり専用のホルダー等に磁石で固定したりした後、両手で魚を釣り針Ｓから外す等の作業に集中できる。
【００９２】
更に、イカや魚の取り込み作業の途中で残りの釣り針Ｓに魚がいないので、仕掛けの再投入を実施する場合がある。この場合には、従来においては仕掛けを錘まで全て回収しなければ再投入できなかったが、本願の釣り針収納・投入機１、１１等では釣り針Ｓが水中に何本残っていても手に持った釣り針収納・投入機１、１１等を水面に向け手首の角度を調節することで瞬時に、安全かつ、容易に仕掛けを再投入できる。
【００９３】
仕掛けの投入時において、何らかのトラブルで投入を中止したい状況になった場合、即座に手持ちの釣り針収納・投入機１、１１等の角度を上向きにすれば、安全で、かつ、速やかに投入を中断することができる。また、トラブル解消後、速やかに再度残りの仕掛けを投入することもできる。
【００９４】
更に、仕掛けを投入する時は錘を垂れ下げた状態から、手持ちの釣り針収納・投入機１、１１等の角度を調整すれば極めて安全に仕掛けを投入できるので、手返しが良く、効率的に釣り行を楽しむことが可能となる。
【００９５】
前記釣り針収納・投入機１、１１等において、スポンジ１７を配置し、糸Ｓａをスポンジ１７の１６部分に挟み込むようにすれば、スポンジ１７が糸Ｓａをしっかりとホールドしてくれるので、風で糸Ｓａがなびくことが軽減できるため、仕掛けが絡むことが殆ど無くなり、船中の船尾、船首、又は、右側、左側のどの位置に釣り座を構えようとも、スポンジ１７が糸Ｓａをスムーズにリリースしてくれるので風の向きを気にすることなく、仕掛けを投入できるため容易に釣り行を楽しむことができる。
【００９６】
前記カバー２１を取り付けると釣り針Ｓが外部から隔離されるため、カバン等に容易に収納でき、また、容易にカバン等から取り出せる点について更に言及すると、釣りにおいては釣り針Ｓの大きさ（サイズ）が釣果に大きくかかわってくるため、カバンから仕掛けの出し入れが容易であることから効率よく仕掛けを交換できるため、速やかに仕掛けを回収でき、サッとカバー２１を取り付け容易にカバンに収納できるため、仕掛けの収納及び投入一体型の本実施例の釣り針収納・投入機１、１１等の最大の特徴によって釣果に大きな差を付けることが可能となる。
【００９７】
本実施例１、２の釣り針収納・投入機１、１１等は、例えば横幅２２ｃｍのサイズでありながら１０本のイカ針を収納可能であり、更にあと１０本は収納できようかと言うほどの収納力を兼ね備えている。したがって、アングラーの好みや戦略に対して柔軟に針数を選択することができる。
【００９８】
釣り終わりや、漁場の移動時などにおいて仕掛けを取り込む時も、竿に近い側の釣り針Ｓから順に釣り針収納・投入機１、１１等の釣り針保持板５、１５に釣り針Ｓを掛け、スポンジ１７に幹糸及びハリス等の糸Ｓａを挟み込み、順番に最後の釣り針Ｓを取り込めば、そのまま移動でき、更にカバー２１を取り付けてカバン等へ収納できるため、片付けにかかる時間の短縮にもなる。
【００９９】
釣り行が終了し帰宅した後等においては、カバー２１の着脱の有無によらず、前記仕掛けを装着したまま水で丸洗いできるので常に清潔性を保てるほか、釣り針Ｓや本願の釣り針収納・投入機本体の塩害腐食による劣化を簡略に軽減できる。
【０１００】
また、本実施例１、２の釣り針収納・投入機１、１１等を左右対象に製作することで、使用者の右利き、左利きに対応することができる。
【産業上の利用可能性】
【０１０１】
本考案の釣り針収納・投入機は、上述したイカ釣りの場合の他、各種魚類釣り用（例えばサビキ仕掛け等）の投入機として広範に利用可能であることは勿論である。
【符号の説明】
【０１０２】
１    釣り針収納・投入機
２    釣り針収納・投入機本体
３    基体
４    グリップ部
５    釣り針保持板
５ａ  釣り針装着領域
１１    釣り針収納・投入機
１１Ｂ  釣り針収納・投入機
１１Ｃ  釣り針収納・投入機
１１Ｄ  釣り針収納・投入機
１１Ｅ  釣り針収納・投入機
１１Ｆ  釣り針収納・投入機
１２    釣り針収納・投入機本体
１３    基体
１４    グリップ部
１５    釣り針保持板
１５ａ  釣り針装着領域
１６    切り込み
１７    スポンジ
１８    面ファスナ
１９    面ファスナ
２１    カバー
２２    磁石
２３    リング部材
２４    ハンガーフック
Ｓ    釣り針
Ｓａ  糸
【図１】
0003225212.tif 000003
【図２】
0003225212.tif 000004
【図３】
0003225212.tif 000005
【図４】
0003225212.tif 000006
【図５】
0003225212.tif 000007
【図６】
0003225212.tif 000008
【図７】
0003225212.tif 000009
【図８】
0003225212.tif 000010
【図９】
0003225212.tif 000011
【図１０】
0003225212.tif 000012
【図１１】
0003225212.tif 000013
【図１２】
0003225212.tif 000014
【図１３】
0003225212.tif 000015
【手続補正書】
【提出日】令和1年12月13日(2019.12.13)
【手続補正１】
【補正対象書類名】図面
【補正対象項目名】図３
【補正方法】変更
【補正の内容】
【図３】
0003225212.tif 000016
【手続補正２】
【補正対象書類名】図面
【補正対象項目名】図４
【補正方法】変更
【補正の内容】
【図４】
0003225212.tif 000017